(57)【要約】      （修正有）【課題】板バネの弾性を利用してワンタッチで器具を取付けられる取付け枠で板バネを固着するのにカシメをしないで製造原価を安くする。【解決手段】枠本体の桟４ａを板バネの折り曲げ部１０とバネの切起し爪１２で抱きつかせ、天井内側のボッチに板バネの穴をはめるだけ取付け枠本体に板バネを固着する。【選択図】図１
0003105910.tif 000002
【実用新案登録請求の範囲】
【請求項１】
板バネの弾性を利用して埋込配線器具をワンタッチで取り付ける埋込配線器具用の取付け枠で、コの字状に折り曲げられた取付け枠本体の片方の折り曲げ部の角穴と他方の折り曲げ部に取付けられた板バネと取付け枠本体の内側上面で配線器具の係止爪を固定して配線器具を取付ける取付け枠のうち、板バネを取付ける側の折り曲げ部の穴の桟の外側を板バネの折り曲げ部で抱き込み、桟の内側を板バネの切起し爪で食い付かせ、更に折り曲げ部とほぼ直角の上面で取付け枠の突き出しボッチと板バネの穴を勘合させる事で板バネを取付け枠本体に固着する取付け枠
【考案の詳細な説明】
【技術分野】
【０００１】本考案は埋込配線器具をスイッチボックスに取付ける際に用いる埋込配線器具の取付け枠でバネの弾性を利用してワンタッチで配線器具を固着する取付け枠に関する。
【背景技術】
【０００２】埋込配線器具をスイッチボックスに取付ける為に用いる取付け枠はスイッチ、コンセントなどの器具の側面の穴に取付け枠の爪をドライバーなどでカシメ付けるものと、器具の爪を取付け枠の一方の穴と他方の枠と板バネの間にバネの弾性を利用して嵌め込むだけのものが一般に普及している。
【考案の開示】
【考案が解決しようとする課題】
【０００３】従来から使用されていた器具の側面の穴（図５参照）に取付け枠の爪をドライバー等でカシメ付けして取付ける方式のものは取付ける際、器具１個１個カシメ作業を必要とし取付け作業の工数が掛かり，また、その作業には器具の傾きなどのバラツキが発生しやすいなどの問題があった。また、器具の係止爪（図５参照）を取付け枠本体の一方の角穴に勘合させ、器具の他方の係止爪を取付け枠本体にカシメ付けされた板バネの係止片を変位させながら器具を押しこみ、取付け枠本体と前記板バネの間で取付ける方式のものは、器具の取付けはワンタッチで作業性は良いが、板バネを必要とし、また、板バネを取付け枠本体にプレス機械などを用いてカシメ付けして固着される為、板バネの部品費に加え、カシメ加工費が掛かり、取付け枠の製造コストが割高になっている。本考案は板バネのカシメ付けを必要としない、ワンタッチで器具を嵌め込むだけで取付けできる安価な取付け枠を提供することにある。
【課題を解決するための手段】
【０００４】本考案の取付け枠を図１、図２、図３を参照してカシメ加工を必要としない手段を説明する。取付け枠本体１の一方の折り曲げ部の角穴３に器具の一方の係止爪１３を勘合させ、他方の折り曲げ部に板バネを取付け、その板バネの係止片を乗り越えて器具の他方の係止爪を板バネと取付け枠の間で固着する取付け枠で，板バネを取付ける折り曲げ部の角穴の外側端部とその内側（角穴４の桟４ａの外側と内側）で板バネのコ字状の折り曲げ部１０と切起し爪１２で板バネを取付け枠本体に組み込み、上下方向の荷重に耐えられるように固着させ、また、折り曲げ部とほぼ直交する取付け枠本体１の内側上面の突き出しのボッチ５に板バネの穴９を嵌めこむことで，板バネを左右方向の荷重にも耐えられるように固着される。器具を取付け、取外す際に板バネに加わる力や器具の使用中にかかる外力にも耐え、器具を安定して固着可能とした。
【考案の効果】
【０００５】板バネを取付け枠本体にカシメ付けしないで取付け枠が組み立てられ、プレス機械などによるカシメ加工の手間が掛からないため取付け枠の製造工数が大幅に削減でき、安価で器具を押しこむだけで取付け出来るワンタッチの取付け枠が得られる。
【考案を実施するための形態】
【０００６】図１、２を参照して本考案の実施の形態を説明する。図１は本考案の実施の形態を示す斜視図、１は取付け枠本体でスイッチなど（以下器具などと記す）を取付けるスペース２、スイッチボックスに取付ける為の穴６、フラッシプレートを取付けるネジ穴７を有し、片方の折り曲げ部には器具の片側の係止爪を嵌める穴３が器具１個について２個所，合計６個空いている。他方の折り曲げ部には器具を着脱する際，器具を固着するための板バネ８の係止片１１が変位出来るように角穴４が取付けられる器具の数だけ３個空いている。その下側の桟４ａ、折り曲げ部の上面内側には突出しのボッチ５が４コ下方に突き出ている。板バネ８には前記係止片１１の根元に近い切起し爪１２、板バネ８を固着するためのコの字状折り曲げ部１０、上部のほぼ直角に曲がった面に前記本体のボッチ５に対応する穴９がボッチの数だけあいている。この板バネを取付け枠本体１の折り曲げ部に図１に示す矢印の方向から板バネ８の穴９が取付け枠本体１のボッチ５に、板バネのコの字状折り曲げ部１０で本体の桟４ａを抱き込むように嵌め込む。この時バネの切起し爪１２が桟４ａ  を乗り越え、折り曲げ部１０と桟４ａを抱き込むように４ａの上面に食いつき，図２に示す断面図のように上面内側のボッチ５に板バネの穴９が嵌合して板バネ８は本体１に固着され、上下，左右いずれの方向にも，板バネが受ける荷重に耐える。本考案の取付け枠に器具を取り付けるには、図３のスイッチを取り付けた例のようにスイッチの係止爪１３の一方を角穴３に嵌め、スイッチを下側から矢印の方向に押し上げ、スイッチの他方の係止爪１３が板バネの係止片１１を変位させながら係止片１１の段差部１１ａまで押し上げられ、スイッチの係止爪１３が板バネ８の係止片１１の段差部１１ａを乗り越え、取付け枠本体１と係止片１１の段差部１１ａの端面で固定される。反対に器具を取外すには、板バネの係止片１１をドライバーなどで器具の係止爪１３と板バネの係止片１１の係合がはずれる方向に広げて器具を押し下げて取外す。
図４には従来のボッチをカシメ付けして板バネを取付け枠本体１に固着した例を示す。上面内側のボッチ５をカシメ付けして板バネを本体に固着している。
【図面の簡単な説明】
【０００７】
【図１】本考案の実施の形態を示す取付け枠本体と板バネの斜視図で取付け枠本体１に板バネ８を嵌合する方向を示し、板バネの拡大した断面図を示している．
【図２】本考案の板バネを取付け枠本体に組付けた断面図を示す
【図３】本案の取付け枠にスイッチを取付けた断面図で器具を取付ける方向を矢印で示し、スイッチの外形の一部を想像線で示す
【図４】従来例の取付け枠に板バネをカシメ付けして組付けた断面図
【図５】埋込配線器具スイッチの係止爪、取付け枠の爪をカシメ付けする側面穴の説明用外観図
【符号の説明】
【０００８】１  取付け枠本体    ３  取付け枠本体の一方の角穴    ４  板バネ係止片１１の変位に対応する取付け枠本体の他方の角穴    ４ａ  角穴４の桟（縁）    ５  本体１の突き出しボッチ    ８  板バネ    ９  板バネ８の本体突き出しボッチ５に勘合する穴    １０  板バネ８の折り曲げ部    １１  板バネの器具係止片    １２  板バネ８の１１の下部の切起し爪    １３  器具の係止爪
【図１】
0003105910.tif 000003
【図２】
0003105910.tif 000004
【図３】
0003105910.tif 000005
【図４】
0003105910.tif 000006
【図５】
0003105910.tif 000007